(57)【要約】  【課題】  画像読取装置と画像形成装置を接続してコピーシステムを構成する際に、画像読取装置が読み取り可能な原稿の最大サイズと画像形成装置が出力可能な用紙の最大サイズが異なる場合でも、両者の整合性をとることが可能な画像読取装置およびその制御方法を提供する。  【解決手段】  画像読取部１３が原稿を読み取って生成した画像データを拡縮処理部１４が拡大処理する。このとき、搬送速度制御部１６が、画像読取部１３における撮像素子と原稿の相対速度を制御する。【選択図】        図２
2006279335.tif 000002
【特許請求の範囲】
【請求項１】
画像形成装置と接続可能であり、該接続された画像形成装置とともにコピーシステムを構成することのできる画像読取装置において、
原稿を読み取って画像データを生成する原稿読取手段と、
前記原稿読取手段が生成した画像データを拡大する拡大処理手段と
を具備することを特徴とする画像読取装置。
【請求項２】
前記拡大処理手段は、
前記原稿の主走査方向を演算により拡大する演算処理手段と、
前記原稿の副走査方向を光学的に拡大する光学処理手段と
を具備することを特徴とする請求項１記載の画像読取装置。
【請求項３】
前記光学処理手段は、前記原稿読取手段が前記原稿を読み取る際の該原稿読取手段と該原稿との相対速度を、該相対速度の標準速度を前記演算手段が拡大する倍率の逆数倍以下にした速度に制御する速度制御手段であることを特徴とする請求項２記載の画像読取装置。
【請求項４】
前記拡大処理手段が画像データを拡大した場合の画像データのレートを、該拡大処理手段が画像データを拡大しない場合の画像データのレートに変換するデータレート変換手段をさらに具備することを特徴とする請求項１記載の画像読取装置。
【請求項５】
前記データレート変換手段は、前記原稿読取手段が前記原稿を読み取る際の該原稿読取手段と該原稿との相対速度を、該相対速度の標準速度を前記演算手段が拡大する倍率の逆数倍以下にした速度に制御する速度制御手段であることを特徴とする請求項４記載の画像読取装置。
【請求項６】
前記拡大処理手段は、
前記原稿の主走査方向を演算により拡大する演算処理手段と、
前記原稿の副走査方向を光学的に拡大する光学処理手段と
を具備し、
前記拡大処理手段が画像データを拡大した場合の画像データのレートと、該拡大処理手段が画像データを拡大しない場合の画像データのレートとを等しく設定し、該設定したレートで常に画像データを処理する
ことを特徴とする請求項１記載の画像読取装置。
【請求項７】
前記光学処理手段は、前記原稿読取手段が前記原稿を読み取る際の該原稿読取手段と該原稿との相対速度を、該相対速度の標準速度を前記演算手段が拡大する倍率の逆数倍以下にした速度に制御する速度制御手段であることを特徴とする請求項６記載の画像読取装置。
【請求項８】
接続された画像形成装置とともにコピーシステムを構成することのできる画像読取装置の制御方法であって、
拡大処理手段が、原稿読取手段が原稿を読み取って生成した画像データを拡大処理して出力することを特徴とする画像読取装置の制御方法。
【請求項９】
前記拡大処理は、演算処理手段で前記原稿の主走査方向を演算により拡大し、光学処理手段で前記原稿の副走査方向を光学的に拡大することを特徴とする請求項８記載の画像読取装置の制御方法。
【請求項１０】
前記光学処理は、速度制御手段が前記原稿読取手段が前記原稿を読み取る際の該原稿読取手段と該原稿との相対速度を、該相対速度の標準速度を前記演算手段が拡大する倍率の逆数倍以下にした速度に制御することで行われることを特徴とする請求項９記載の画像読取装置の制御方法。
【請求項１１】
データレート変換手段が、前記拡大処理で画像データを拡大した場合の画像データのレートを、該画像データを拡大しない場合の画像データのレートに変換することを特徴とする請求項８記載の画像読取装置の制御方法。
【請求項１２】
前記データレート変換は、速度制御手段が前記原稿読取手段が前記原稿を読み取る際の該原稿読取手段と該原稿との相対速度を、該相対速度の標準速度を前記演算手段が拡大する倍率の逆数倍以下にした速度に制御することで行われることを特徴とする請求項１１記載の画像読取装置の制御方法。
【請求項１３】
前記拡大処理は、演算処理手段で前記原稿の主走査方向を演算により拡大し、光学処理手段で前記原稿の副走査方向を光学的に拡大し、画像データを拡大した場合の画像データのレートと該拡大処理手段が画像データを拡大しない場合の画像データのレートとを等しく設定し、該設定したレートで常に画像データを処理することを特徴とする請求項８記載の画像読取装置の制御方法。
【請求項１４】
前記光学処理は、速度制御手段が前記原稿読取手段が前記原稿を読み取る際の該原稿読取手段と該原稿との相対速度を、該相対速度の標準速度を前記演算手段が拡大する倍率の逆数倍以下にした速度に制御することで行われることを特徴とする請求項１３記載の画像読取装置の制御方法。
【発明の詳細な説明】
【技術分野】
【０００１】
本発明は、画像読取装置およびその制御方法に関し、特に、読み取り可能な原稿の最大サイズが、出力可能な用紙の最大サイズと異なる画像形成装置と接続してコピーシステムを構成することのできる画像読取装置およびその制御方法に関する。
【背景技術】
【０００２】
近年、スキャナ等の画像読取装置やプリンタ等の画像形成装置は、高価で高機能なものから安価で低機能なものまで、多種多様なものが提供されている。
【０００３】
このため、最近では、画像読取装置と画像形成装置をパーソナルコンピュータ等の情報処理装置に接続して利用するだけでなく、画像読取装置と画像形成装置を直接接続し、コピーシステムとして利用する形態も増加している。
【０００４】
ところで、画像読取装置と画像形成装置を直接接続してコピーシステムを構成した場合、画像読取装置が読み取り可能な原稿の最大サイズと、画像形成装置が出力可能な用紙の最大サイズに違いが生じる可能性がある。このような場合には、画像データの拡縮処理を行って、両者の整合性を取ることが望まれることがある。
【０００５】
なお、画像データの拡縮処理を行う技術としては、プリンタ装置出力可能サイズを越えるデータを出力する際に、任意の部分を間引きなしで出力して、詳細のモニタを可能にするものや（例えば、特許文献１参照）、情報処理装置とプリンタ装置とが通信可能なプリンタ制御システムにおいて、ユーザに設定する入力用紙サイズで正しく印刷されるかを容易に判断させるとともに、拡大縮小を行うことにより正しく印刷することが可能であることを容易に判断させるものがある（例えば、特許文献２参照）。
【特許文献１】特開平６−３６０１０号公報
【特許文献２】特開２００２−１２７５６６号公報
【発明の開示】
【発明が解決しようとする課題】
【０００６】
ところで、従来の画像読取装置は、パーソナルコンピュータ等の情報処理装置と接続して利用することを前提としたものが多いため、画像データに対する拡縮処理は、情報処理装置側で行うことが一般的で画像読取装置で画像データに対する拡縮処理ことはなかった。
【０００７】
また、画像読取装置で画像データを拡大処理しようとすると、そのデータ量が増加するため、拡大処理後の画像データがシステムのデータレートを超えてしまい、最大の原稿サイズを越えた部分がカットされるなど、拡大処理を行うこと自体が不可能であった。
【０００８】
そこで、本発明は、画像読取装置と画像形成装置を接続してコピーシステムを構成する際に、画像読取装置が読み取り可能な原稿の最大サイズと画像形成装置が出力可能な用紙の最大サイズが異なる場合でも、両者の整合性をとることが可能な画像読取装置およびその制御方法を提供することを目的とする。
【課題を解決するための手段】
【０００９】
前述した目的を達成するため、請求項１の発明は、画像形成装置と接続可能であり、該接続された画像形成装置とともにコピーシステムを構成することのできる画像読取装置において、原稿を読み取って画像データを生成する原稿読取手段と、前記原稿読取手段が生成した画像データを拡大する拡大処理手段とを具備することを特徴とする。
【００１０】
また、請求項２の発明は、請求項１の発明において、前記拡大処理手段は、前記原稿の主走査方向を演算により拡大する演算処理手段と、前記原稿の副走査方向を光学的に拡大する光学処理手段とを具備することを特徴とする。
【００１１】
また、請求項３の発明は、請求項２の発明において、前記光学処理手段は、前記原稿読取手段が前記原稿を読み取る際の該原稿読取手段と該原稿との相対速度を、該相対速度の標準速度を前記演算手段が拡大する倍率の逆数倍以下にした速度に制御する速度制御手段であることを特徴とする。
【００１２】
また、請求項４の発明は、請求項１の発明において、前記拡大処理手段が画像データを拡大した場合の画像データのレートを、該拡大処理手段が画像データを拡大しない場合の画像データのレートに変換するデータレート変換手段をさらに具備することを特徴とする。
【００１３】
また、請求項５の発明は、請求項４の発明において、前記データレート変換手段は、前記原稿読取手段が前記原稿を読み取る際の該原稿読取手段と該原稿との相対速度を、該相対速度の標準速度を前記演算手段が拡大する倍率の逆数倍以下にした速度に制御する速度制御手段であることを特徴とする。
【００１４】
また、請求項６の発明は、請求項１の発明において、前記拡大処理手段は、前記原稿の主走査方向を演算により拡大する演算処理手段と、前記原稿の副走査方向を光学的に拡大する光学処理手段とを具備し、前記拡大処理手段が画像データを拡大した場合の画像データのレートと、該拡大処理手段が画像データを拡大しない場合の画像データのレートとを等しく設定し、該設定したレートで常に画像データを処理することを特徴とする。
【００１５】
また、請求項７の発明は、請求項６の発明において、前記光学処理手段は、前記原稿読取手段が前記原稿を読み取る際の該原稿読取手段と該原稿との相対速度を、該相対速度の標準速度を前記演算手段が拡大する倍率の逆数倍以下にした速度に制御する速度制御手段であることを特徴とする。
【００１６】
また、請求項８の発明は、接続された画像形成装置とともにコピーシステムを構成することのできる画像読取装置の制御方法であって、拡大処理手段が、原稿読取手段が原稿を読み取って生成した画像データを拡大処理して出力することを特徴とする。
【００１７】
また、請求項９の発明は、請求項８の発明において、前記拡大処理は、演算処理手段で前記原稿の主走査方向を演算により拡大し、光学処理手段で前記原稿の副走査方向を光学的に拡大することを特徴とする。
【００１８】
また、請求項１０の発明は、請求項９の発明において、前記光学処理は、速度制御手段が前記原稿読取手段が前記原稿を読み取る際の該原稿読取手段と該原稿との相対速度を、該相対速度の標準速度を前記演算手段が拡大する倍率の逆数倍以下にした速度に制御することで行われることを特徴とする。
【００１９】
また、請求項１１の発明は、請求項８の発明において、データレート変換手段が、前記拡大処理で画像データを拡大した場合の画像データのレートを、該画像データを拡大しない場合の画像データのレートに変換することを特徴とする。
【００２０】
また、請求項１２の発明は、請求項１１の発明において、前記データレート変換は、速度制御手段が前記原稿読取手段が前記原稿を読み取る際の該原稿読取手段と該原稿との相対速度を、該相対速度の標準速度を前記演算手段が拡大する倍率の逆数倍以下にした速度に制御することで行われることを特徴とする。
【００２１】
また、請求項１３の発明は、請求項８の発明において、前記拡大処理は、演算処理手段で前記原稿の主走査方向を演算により拡大し、光学処理手段で前記原稿の副走査方向を光学的に拡大し、画像データを拡大した場合の画像データのレートと該拡大処理手段が画像データを拡大しない場合の画像データのレートとを等しく設定し、該設定したレートで常に画像データを処理することを特徴とする。
【００２２】
また、請求項１４の発明は、請求項１３の発明において、前記光学処理は、速度制御手段が前記原稿読取手段が前記原稿を読み取る際の該原稿読取手段と該原稿との相対速度を、該相対速度の標準速度を前記演算手段が拡大する倍率の逆数倍以下にした速度に制御することで行われることを特徴とする。
【発明の効果】
【００２３】
本発明によれば、画像読取装置が読み取り可能な原稿の最大サイズと画像形成装置が出力可能な用紙の最大サイズが異なる場合でも、両者を接続し、画像形成装置が出力可能な用紙の最大サイズで出力が可能なコピーシステムを構成することができる。
【発明を実施するための最良の形態】
【００２４】
以下、本発明に係る画像読取装置およびその制御方法の一実施の形態について、添付図面を参照して詳細に説明する。
【実施例】
【００２５】
図１は、本発明を適用した画像読取装置を利用したコピーシステムの構成例を示した図である。
【００２６】
同図に示すように、コピーシステムは、画像読取装置１と画像形成装置２を接続することで構成される。画像読取装置１は、本発明を適用したもので、画像形成装置２は、汎用のものである。画像読取装置１が読み取り可能な原稿の最大サイズと、画像形成装置２が出力可能な用紙の最大サイズは、それぞれ、任意であるが、ここでは、画像読取装置１が読み取り可能な原稿の最大サイズが「Ａ４」で、画像形成装置２が出力可能な用紙の最大サイズが「Ａ３」であるものとする。
【００２７】
次に、画像読取装置１の構成について説明する。図２は、画像読取装置１の機能的な構成を示すブロック図である。
【００２８】
同図に示すように、画像読取装置１は、制御部１１と、操作・表示部１２、画像読取部１３、拡縮処理部１４、通信部１５、搬送速度制御部１６を具備して構成される。
【００２９】
制御部１１は、画像読取装置１の全体を制御するもので、プロセッサをソフトウェアにしたがって動作させるか、専用のＩＣ(Integrated Circuit)を利用して構成する。
【００３０】
操作・表示部１２は、ユーザインタフェイスとして動作するもので、利用者に対して情報を表示したり、利用者からの指示入力を受け付ける。この操作・表示部１２は、表示装置や入力キー装置等で構成される。
【００３１】
画像読取部１３は、原稿を読み取って画像データを生成するもので、ＣＣＤ(Charge Coupled Devices)等の撮像素子と、当該撮像素子を搭載したキャリッジ若しくは原稿を移動させる電動機等で構成される。
【００３２】
拡縮処理部１４は、画像読取部１３が生成した画像データに対して拡大処理や縮小処理を施すもので、プロセッサをソフトウェアによって動作させることで構成されるか、画像処理用のＩＣ(Integrated Circuit)等で構成される。
【００３３】
通信部１５は、画像形成装置２との間で通信を行うもので、画像形成装置２と通信が可能なインタフェイスにより構成される。
【００３４】
搬送速度制御部１６は、拡縮処理部１４が動作する際に、画像読取部１３の電動機を制御し、撮像素子と原稿の相対速度を制御する。相対速度の制御は、原稿を固定して撮像素子が搭載されたキャリッジを移動させて原稿を読み取る場合には、当該キャリッジの搬送速度を制御し、撮像素子が搭載されたキャリッジを固定して原稿を移動させて原稿を読み取る場合には、当該原稿の搬送速度を制御することで行う。
【００３５】
次に、画像読取装置１による画像データの拡大処理について説明する。なお、ここでは、画像読取装置１が「Ａ４」サイズの原稿を読み取って、「Ａ３」サイズに拡大するものとする。
【００３６】
画像読取装置１では、拡縮処理部１４が、画像読取部１４が生成した画像データを拡大するが、ここでは、主走査方向についての拡大を行う。このとき、画像読取部１４が、図３（ａ）に示すように、画像データを読み取り、ラインごとの画像データ１０１、画像データ１０２、画像データ１０３を、図３（ｂ）に示すように順次出力するが、これを拡縮処理部１４で１４１％（Ａ４からＡ３への拡大）に拡大すると、図３（ｃ）に示すように、拡大後の画像データ１１１、画像データ１１２、画像データ１１３は、それぞれ、画像データ１０１、画像データ１０２、画像データ１０３の１４１％のデータ量となってしまう。このため、拡縮処理部１４の出力側若しくは通信部１５の入力側に十分なバッファがなければ、画像データ１１１等の処理は不可能となってしまう。
【００３７】
このため、画像読取装置１では、拡縮処理部１４が拡大処理を行う際には、図４に示すように、搬送速度制御部１６が、画像読取部１３の撮像素子と原稿の相対速度を制御し、通常の７０％程度の速度にする。この７０％という値は、拡縮処理部１４で拡大処理する拡大倍率の逆数である。撮像素子と原稿の相対速度を７０％とした結果、画像読取部１４が、図５（ａ）に示すように、画像データを読み取り、ラインごとの画像データ２０１、画像データ２０２、画像データ２０３を、図５（ｂ）に示すように順次出力するが、この画像データは、図３（ｂ）に示した画像データ１０１、画像データ１０２、画像データ１０３の７０％のデータ量である。これらを拡縮処理部１４で１４１％（Ａ４からＡ３への拡大）に拡大すると、図５（ｃ）に示すように、拡大後の画像データ２１１、画像データ２１２、画像データ２１３は、それぞれ、画像データ２０１、画像データ２０２、画像データ２０３の１４１％のデータ量となるが、このデータ量は、図３（ｂ）に示した画像データ１０１、画像データ１０２、画像データ１０３のデータ量とほぼ同じとなる。これにより、拡縮処理部１４の出力側若しくは通信部１５の入力側に十分なバッファがなくとも、画像データ２１１等の処理は可能となる。
【００３８】
また、拡大後の画像データ２１１、画像データ２１２、画像データ２１３等は、通信部１５により通常のデータレートで送信されるため、図６（ａ）に示すような画像データと出力したとしても、画像形成装置１側では、図６（ｂ）に示すように、副走査方向についても１４１％に拡大された画像データとして受け付けることとなる。
【００３９】
なお、予めシステム全体のデータレートを早く設定しておく、つまり、画像データの拡大を行う場合と行わない場合のデータレートを等しく設定しておき、ＣＣＤの蓄積時間を規定するクロック数で標準時と拡大時の読み取りスピードの差を吸収するようにすることもできる。この場合には、クロック切り替えの回路などが省略できるといった利点が生ずることとなる。
【図面の簡単な説明】
【００４０】
【図１】本発明を適用した画像読取装置を利用したコピーシステムの構成例を示した図である。
【図２】画像読取装置１の機能的な構成を示すブロック図である。
【図３】画像読取装置１による画像データの拡大処理を説明するための図である。
【図４】画像読取装置１による画像データの拡大処理を説明するための図である。
【図５】画像読取装置１による画像データの拡大処理を説明するための図である。
【図６】画像読取装置１による画像データの拡大処理を説明するための図である。
【符号の説明】
【００４１】
１    画像読取装置
２    画像形成装置
１１    制御部
１２    操作・表示部
１３    画像読取部
１４    拡縮処理部
１５    通信部
１６    搬送速度制御部
１０１    画像データ
１０２    画像データ
１０３    画像データ
１１１    画像データ
１１２    画像データ
１１３    画像データ
２０１    画像データ
２０２    画像データ
２０３    画像データ
２１１    画像データ
２１２    画像データ
２１３    画像データ
【図１】
2006279335.tif 000003
【図２】
2006279335.tif 000004
【図３】
2006279335.tif 000005
【図４】
2006279335.tif 000006
【図５】
2006279335.tif 000007
【図６】
2006279335.tif 000008